【手続補正書】
【提出日】平成18年3月16日(2006.3.16)
【手続補正１】
【補正対象書類名】特許請求の範囲
【補正対象項目名】全文
【補正方法】変更
【補正の内容】
【特許請求の範囲】
【請求項１】
吸収性材料とその吸収性材料の中に配置された組成物を含むタンポンであって、前記組成物は、
少なくとも１種の抗細菌剤、および
少なくとも１種の仕上げ剤
を有し、
前記組成物はＴＳＳＴ−毒素の産生を中和し、スタフィロコッカス・アウレウス細菌の生長を減少させるのに有効な相乗作用的抗細菌特性を有するタンポン。
【請求項２】
前記少なくとも１種の抗細菌剤が、第４級アンモニウム化合物、グリセリルモノラウレート、５−クロロ−２−（２，４−ジクロロフェノキシ）−２，４，４’−トリクロロ−２’−ヒドロキシジフェニルエーテル（トリクロサン）、ｐ−クロロ−ｍ−キシレノール、Ｎ−（４−クロロフェニル）−Ｎ’−（３，４−ジクロロフェニル）尿素（トリクロカルバン）、２−Ｎ−オクチル−４−イソチアゾリン−３−オン、ヨウ素系化合物、およびそれらのいずれかの混合物からなる群より選択される請求項１記載のタンポン。
【請求項３】
前記少なくとも１種の抗細菌剤が、１種以上の第４級アンモニウム化合物である請求項１記載のタンポン。
【請求項４】
前記１種以上の第４級アンモニウム化合物が、化学構造：
【化１】
2006501865.tif 000001
（式中、Ｘは、ハロゲンおよびサッカリネートからなる群より選択され、Ｒ1 およびＲ3 は、直鎖または分枝鎖のＣ1 〜Ｃ4 アルキルであり、Ｒ2 は、直鎖または分枝鎖のＣ6 〜Ｃ22アルキルであり、Ｒ4 は、化学構造
【化２】
2006501865.tif 000002
（式中、Ｒ5 は、Ｈ、直鎖または分枝鎖Ｃ1 〜Ｃ4 アルキル、およびハロゲンからなる群より選択される）のものである）を有する請求項３記載のタンポン。
【請求項５】
前記１種以上の第４級アンモニウム化合物が、アルキルジメチルベンジルアンモニウムクロリド、アルキルジメチルエチルベンジルアンモニウムクロリド、ミリスチルジメチルベンジルアンモニウムクロリド、ラウリルジメチルエチルベンジルアンモニウムクロリド、アルキルジメチルベンジルアンモニウムブロミド、アルキルジメチルベンジルアンモニウムセチルホスフェート、アルキルジメチルベンジルアンモニウムサッカリネートおよびそれらのいずれかの混合物である請求項４記載のタンポン。
【請求項６】
前記１種以上の第４級アンモニウム化合物が、アルキルジメチルベンジルアンモニウムクロリドとアルキルジメチルエチルベンジルアンモニウムクロリドの混合物である請求項４記載のタンポン。
【請求項７】
前記第４級アンモニウム化合物が、タンポンの全重量に基づいて約１．０ｗｔ．％の量で存在する請求項６記載のタンポン。
【請求項８】
前記第４級アンモニウム化合物が、タンポンの全重量に基づいて約０．０１ｗｔ．％から約５ｗｔ．％までの量で存在する請求項３記載のタンポン。
【請求項９】
前記少なくとも１種の抗細菌剤がタンポンの全重量に基づいて約０．０１ｗｔ．％から約５ｗｔ．％までの量でタンポン中に存在する請求項１記載のタンポン。
【請求項１０】
前記少なくとも１種の仕上げ剤が１種以上の界面活性剤である請求項１記載のタンポン。
【請求項１１】
前記１種以上の界面活性剤がノニオン性、アニオン性、カチオン性、両性およびそれらのいずれかの混合物からなる群より選択される請求項１０記載のタンポン。
【請求項１２】
前記１種以上の界面活性剤が、タンポンの全重量に基づいて約０．０１ｗｔ．％から約１０ｗｔ．％までの量で存在する請求項１０記載のタンポン。
【請求項１３】
前記１種以上の界面活性剤が、１種以上のノニオン性界面活性剤である請求項１０記載のタンポン。
【請求項１４】
前記１種以上のノニオン性界面活性剤が、１種以上のアルコールエトキシレート、アルキルフェノールエトキシレート、カルボン酸エステル、エトキシル化無水ソルビタールエステル、グリセロールエステル、ポリ（オキシエチレン−コ−オキシプロピレン）系界面活性剤、ポリオキシエチレン脂肪酸アミン、ポリオキシエチレン脂肪酸エステル、ポリエチレングリコール、ポリエチレングリコールエステル、およびそれらのいずれかの混合物からなる群より選択される請求項１０記載のタンポン。
【請求項１５】
前記１種以上のノニオン性界面活性剤が１種以上のポリオキシエチレン脂肪酸エステルである請求項１４記載のタンポン。
【請求項１６】
前記ポリオキシエチレン脂肪酸エステルがタンポンの全重量に基づいて約２．５ｗｔ．％の量で存在する請求項１５記載のタンポン。
【請求項１７】
前記少なくとも１種の仕上げ剤がタンポンの全重量に基づいて約０．０１ｗｔ．％から約１０ｗｔ．％までの量で存在する請求項１記載のタンポン。
【請求項１８】
前記組成物がさらに、保存料、脱臭剤、芳香料、悪臭中和材料、保湿剤、およびそれらのいずれかの組み合わせからなる群より選択される１種以上の追加の成分を含む請求項１記載のタンポン。
【請求項１９】
ＴＳＳＴ−１毒素産生スタフィロコッカス・アウレウス細菌をタンポンにさらすことによりＴＳＳＴ−１毒素の産生を阻害する方法であって、前記タンポンは、吸収性材料と組成物を有し、前記組成物は、
少なくとも１種の抗細菌剤、および
少なくとも１種の仕上げ剤
を含み、
前記組成物がＴＳＳＴ−毒素の産生を中和し、スタフィロコッカス・アウレウス細菌の生長を減少させるのに有効な相乗作用的抗細菌特性を有する方法。
【請求項２０】
前記少なくとも１種の抗細菌剤が、第４級アンモニウム化合物、グリセリルモノラウレート、５−クロロ−２−（２，４−ジクロロフェノキシ）−２，４，４’−トリクロロ−２’−ヒドロキシジフェニルエーテル（トリクロサン）、ｐ−クロロ−ｍ−キシレノール、Ｎ−（４−クロロフェニル）−Ｎ’−（３，４−ジクロロフェニル）尿素（トリクロカルバン）、２−Ｎ−オクチル−４−イソチアゾリン−３−オン、ヨウ素系化合物、およびそれらのいずれかの混合物からなる群より選択される請求項１９記載の方法。
【請求項２１】
前記少なくとも１種の抗細菌剤が、１種以上の第４級アンモニウム化合物である請求項２０記載の方法。
【請求項２２】
前記１種以上の第４級アンモニウム化合物が、化学構造：
【化３】
2006501865.tif 000003
（式中、Ｘは、ハロゲンおよびサッカリネートからなる群より選択され、Ｒ1 およびＲ3 は、直鎖または分枝鎖のＣ1 〜Ｃ4 アルキルであり、Ｒ2 は、直鎖または分枝鎖のＣ6 〜Ｃ22アルキルであり、Ｒ4 は、化学構造
【化４】
2006501865.tif 000004
（式中、Ｒ5 は、Ｈ、直鎖または分枝鎖Ｃ1 〜Ｃ4 アルキル、およびハロゲンからなる群より選択される）のものである）を有する請求項２１記載の方法。
【請求項２３】
前記第４級アンモニウム化合物が、タンポンの全重量に基づいて約０．０１ｗｔ．％から約５ｗｔ．％までの量で存在する請求項２１記載の方法。
【請求項２４】
前記１種以上の第４級アンモニウム化合物が、アルキルジメチルベンジルアンモニウムクロリド、アルキルジメチルエチルベンジルアンモニウムクロリド、ミリスチルジメチルベンジルアンモニウムクロリド、ラウリルジメチルエチルベンジルアンモニウムクロリド、アルキルジメチルベンジルアンモニウムブロミド、アルキルジメチルベンジルアンモニウムセチルホスフェート、アルキルジメチルベンジルアンモニウムサッカリネートおよびそれらのいずれかの混合物からなる群より選択される請求項２０記載の方法。
【請求項２５】
前記１種以上の第４級アンモニウム化合物が、アルキルジメチルベンジルアンモニウムクロリドとアルキルジメチルエチルベンジルアンモニウムクロリドの混合物である請求項２４記載の方法。
【請求項２６】
前記１種以上の第４級アンモニウム化合物が、タンポンの全重量に基づいて約１．０ｗｔ．％の量で存在する請求項２４記載の方法。
【請求項２７】
前記少なくとも１種の抗細菌剤が、タンポンの全重量に基づいて約０．０１ｗｔ．％から約５ｗｔ．％までの量で存在する請求項１９記載の方法。
【請求項２８】
前記少なくとも１種の仕上げ剤が１以上の界面活性剤である請求項１９記載の方法。
【請求項２９】
前記１種以上の界面活性剤がノニオン性、アニオン性、カチオン性、両性およびそれらのいずれかの混合物からなる群より選択される請求項２８記載の方法。
【請求項３０】
前記１種以上の界面活性剤が、１以上のノニオン性界面活性剤である請求項２８記載の方法。
【請求項３１】
前記１種以上のノニオン性界面活性剤が、アルコールエトキシレート、アルキルフェノールエトキシレート、カルボン酸エステル、エトキシル化無水ソルビタールエステル、グリセロールエステル、ポリ（オキシエチレン−コ−オキシプロピレン）系界面活性剤、ポリオキシエチレン脂肪酸アミン、ポリオキシエチレン脂肪酸エステル、ポリエチレングリコール、ポリエチレングリコールエステル、およびそれらのいずれかの混合物からなる群より選択される請求項３０記載の方法。
【請求項３２】
前記１種以上のノニオン性界面活性剤が１以上のポリオキシエチレン脂肪酸エステルである請求項３１記載の方法。
【請求項３３】
前記１種以上のポリオキシエチレン脂肪酸エステルがタンポンの全重量に基づいて約２．５ｗｔ．％の量で存在する請求項３２記載の方法。
【請求項３４】
前記少なくとも１種の仕上げ剤がタンポンの全重量に基づいて約０．０１ｗｔ．％から約１０ｗｔ．％までの量で存在する請求項１９記載の方法。
【請求項３５】
前記１種以上の界面活性剤がタンポンの全重量に基づいて約０．０１ｗｔ．％から約１０ｗｔ．％までの量で存在する請求項２８記載の方法。
【請求項３６】
前記組成物がさらに、保存料、脱臭剤、芳香料、悪臭中和材料、保湿剤、およびそれらのいずれかの組み合わせからなる群より選択される１以上の付加的な成分を含む請求項１９記載の方法。